(57)【要約】本発明は、マルチキャリアを用いる通信システムにおける省電力のためのマルチキャリアリソース活用方法及び装置に関し、端末と基地局間のデータトラフィック状態、最大許容伝送レート（最大持続トラフィックレート（Ｍａｘｉｍｕｍ  Ｓｕｓｔａｉｎｅｄ  Ｔｒａｆｆｉｃ  ｒａｔｅ））、又は最大伝送バーストサイズ（最大トラフィックバーストサイズ（Ｍａｘｉｍｕｍ  Ｔｒａｆｆｉｃ  Ｂｕｒｓｔ  ｓｉｚｅ））などのＱｏＳ（Ｑｕａｌｉｔｙ  ｏｆ  Ｓｅｒｖｉｃｅ）要求事項に応じて、基地局と端末間のデータトラフィックを送受信するためのセカンダリキャリアのアクティブ化を決定し、これを示す指示メッセージをプライマリキャリアで端末に送信し、アクティブ化されたセカンダリキャリアでデータトラフィックを送受信することを特徴とするマルチキャリアを用いたデータ送受信方法及び装置に関する。
2011528212.tif 000002
【特許請求の範囲】
【請求項１】
基地局と端末間の通信のためのＰＨＹ／ＭＡＣ制御情報とデータを送受信するための第１のキャリアを含むマルチキャリアを用いる通信システムで、前記基地局と前記端末が少なくとも１つのキャリアを使用してデータを送受信する方法において、
前記基地局と前記端末間のデータトラフィックを送受信するための第２のキャリアのアクティブ化を決定する段階と、
前記第２のキャリアのアクティブ化を示す指示メッセージ（Ｉｎｄｉｃａｔｉｏｎ）を前記第１のキャリアで前記端末に送信する段階と、
前記データトラフィックを前記アクティブ化された第２のキャリアで前記端末に送信する段階と
を含む、マルチキャリアを用いたデータ送受信方法。
【請求項２】
前記第２のキャリアのアクティブ化指示メッセージを送信する段階は、
前記第２のキャリアのアクティブ化指示メッセージを前記端末に送信した後、前記端末から前記第２のキャリアのアクティブ化確認メッセージを受信する段階をさらに含む、請求項１に記載のマルチキャリアを用いたデータ送受信方法。
【請求項３】
前記第２のキャリアの非アクティブ化を示す指示メッセージを前記第１のキャリア又は前記第２のキャリアで前記端末に送信する段階をさらに含む、請求項１に記載のマルチキャリアを用いたデータ送受信方法。
【請求項４】
前記端末から前記第２のキャリアの非アクティブ化確認メッセージを受信する段階をさらに含む、請求項３に記載のマルチキャリアを用いたデータ送受信方法。
【請求項５】
前記指示メッセージは、前記第２のキャリアのインデックスを示すキャリアインデックス（Ｉｎｄｅｘ）情報、及び前記キャリアインデックスが示す前記第２のキャリアのアクティブ動作又は非アクティブ動作を示す動作（Ｏｐｅｒａｔｉｏｎ）情報を含む、請求項１又は３に記載のマルチキャリアを用いたデータ送受信方法。
【請求項６】
前記指示メッセージは、前記アクティブ動作又は非アクティブ動作を実行させる時点を示すオフセット（Ｏｆｆｓｅｔ）情報をさらに含む、請求項５に記載のマルチキャリアを用いたデータ送受信方法。
【請求項７】
前記指示メッセージは、拡張されたサブヘッダ（Ｅｘｔｅｎｄｅｄ  ＳｕｂＨｅａｄｅｒ）、シグナリングヘッダ（Ｓｉｇｎａｌｉｎｇ  Ｈｅａｄｅｒ）、ピギーバック（Ｐｉｇｇｙ  ｂａｃｋ）メッセージ、マップ（ＭＡＰ）情報メッセージ、又はＭＡＣ（Ｍｅｄｉｕｍ  Ａｃｃｅｓｓ  Ｃｏｎｔｒｏｌ）管理メッセージのいずれか１つの形式である、請求項１又は３に記載のマルチキャリアを用いたデータ送受信方法。
【請求項８】
前記第２のキャリアのアクティブ化を決定する段階で、前記第２のキャリアのアクティブ化が、前記端末と前記基地局間のデータトラフィック状態、最大許容伝送レート（最大持続トラフィックレート（Ｍａｘｉｍｕｍ  Ｓｕｓｔａｉｎｅｄ  Ｔｒａｆｆｉｃ  ｒａｔｅ））、又は最大伝送バーストサイズ（最大トラフィックバーストサイズ（Ｍａｘｉｍｕｍ  Ｔｒａｆｆｉｃ  Ｂｕｒｓｔ  ｓｉｚｅ））に応じて決定される、請求項１に記載のマルチキャリアを用いたデータ送受信方法。
【請求項９】
マルチキャリアをサポートする端末において、基地局との通信のためのＰＨＹ／ＭＡＣ制御情報とデータを送受信するための第１のキャリア及び前記第１のキャリアとは異なるＲＦ（Ｒａｄｉｏ  Ｆｒｅｑｕｅｎｃｙ）を使用する少なくとも１つの第２のキャリアを含むマルチキャリアを用いてデータを送受信する方法において、
前記第２のキャリアのアクティブ化を示す指示メッセージ（Ｉｎｄｉｃａｔｉｏｎ）を前記第１のキャリアで前記基地局から受信する段階と、
前記第２のキャリアのＲＦをターンオンして前記第２のキャリアをアクティブ化する段階と、
前記アクティブ化された第２のキャリアで前記基地局からデータを受信する段階と
を含む、マルチキャリアを用いたデータ送受信方法。
【請求項１０】
前記第２のキャリアのアクティブ化確認メッセージを前記第１のキャリアで前記基地局に送信する段階をさらに含む、請求項９に記載のマルチキャリアを用いたデータ送受信方法。
【請求項１１】
前記第２のキャリアの非アクティブ化を示す指示メッセージを前記第１のキャリア又は前記第２のキャリアで前記基地局から受信する段階と、
前記基地局から受信した指示メッセージに従って前記第２のキャリアのＲＦをターンオフして前記第２のキャリアを非アクティブ化する段階と
をさらに含む、請求項９に記載のマルチキャリアを用いたデータ送受信方法。
【請求項１２】
前記第２のキャリアの非アクティブ化確認メッセージを前記第１のキャリアで前記基地局に送信する段階をさらに含む、請求項９に記載のマルチキャリアを用いたデータ送受信方法。
【請求項１３】
前記指示メッセージは、前記端末がアクティブ化する前記第２のキャリアのインデックスを示すキャリアインデックス（Ｉｎｄｅｘ）情報、及び前記キャリアインデックスが示す前記第２のキャリアのアクティブ動作又は非アクティブ動作を示す動作（Ｏｐｅｒａｔｉｏｎ）情報を含む、請求項９又は１１に記載のマルチキャリアを用いたデータ送受信方法。
【請求項１４】
前記指示メッセージは、前記動作を実行させる時点を示すオフセット（Ｏｆｆｓｅｔ）情報をさらに含む、請求項１３に記載のマルチキャリアを用いたデータ送受信方法。
【請求項１５】
前記指示メッセージは、拡張されたサブヘッダ（Ｅｘｔｅｎｄｅｄ  ＳｕｂＨｅａｄｅｒ）、シグナリングヘッダ（Ｓｉｇｎａｌｉｎｇ  Ｈｅａｄｅｒ）、ピギーバック（Ｐｉｇｇｙ  ｂａｃｋ）メッセージ、マップ（ＭＡＰ）情報メッセージ、又はＭＡＣ（Ｍｅｄｉｕｍ  Ａｃｃｅｓｓ  Ｃｏｎｔｒｏｌ）管理メッセージのいずれか１つの形式である、請求項９又は１１に記載のマルチキャリアを用いたデータ送受信方法。
【請求項１６】
前記第２のキャリアのアクティブ化は、データトラフィック状態、最大許容伝送レート（最大持続トラフィックレート（Ｍａｘｉｍｕｍ  Ｓｕｓｔａｉｎｅｄ  Ｔｒａｆｆｉｃ  ｒａｔｅ））、又は最大伝送バーストサイズ（最大トラフィックバーストサイズ（Ｍａｘｉｍｕｍ  Ｔｒａｆｆｉｃ  Ｂｕｒｓｔ  ｓｉｚｅ））に応じて決定される、請求項９に記載のマルチキャリアを用いたデータ送受信方法。
【請求項１７】
基地局と通信のための各種制御情報とデータを送受信するための第１のキャリア及び前記第１のキャリアとは異なるＲＦ（Ｒａｄｉｏ  Ｆｒｅｑｕｅｎｃｙ）を使用する少なくとも１つの第２のキャリアを含むマルチキャリアを用いるデータ送受信装置において、
前記第１のキャリアで前記基地局とデータを送受信する第１の受信端と、
前記第２のキャリアで前記基地局からデータを受信する第２の受信端と、
前記第１の受信端及び第２の受信端の電力を制御する制御部とを含み、
前記制御部は、前記第２のキャリアのアクティブ化又は非アクティブ化を示す指示メッセージ（Ｉｎｄｉｃａｔｉｏｎ）を前記第１の受信端を介して前記基地局から受信し、前記基地局から受信した指示メッセージに従って前記第２の受信端の電力を制御して、前記第２のキャリアのアクティブ化又は非アクティブ化を行う、マルチキャリアを用いたデータ送受信装置。
【請求項１８】
前記指示メッセージは、前記第２のキャリアのインデックスを示すキャリアインデックス（Ｉｎｄｅｘ）情報、及び前記キャリアインデックスが示す前記第２のキャリアのアクティブ動作又は非アクティブ動作を示す動作（Ｏｐｅｒａｔｉｏｎ）情報を含む、請求項１７に記載のマルチキャリアを用いたデータ送受信装置。
【請求項１９】
前記指示メッセージは、前記動作を実行させる時点を示すオフセット（Ｏｆｆｓｅｔ）情報をさらに含む、請求項１８に記載のマルチキャリアを用いたデータ送受信装置。
【請求項２０】
前記指示メッセージは、拡張されたサブヘッダ（Ｅｘｔｅｎｄｅｄ  ＳｕｂＨｅａｄｅｒ）、シグナリングヘッダ（Ｓｉｇｎａｌｉｎｇ  Ｈｅａｄｅｒ）、ピギーバック（Ｐｉｇｇｙ  ｂａｃｋ）メッセージ、マップ（ＭＡＰ）情報メッセージ、又はＭＡＣ（Ｍｅｄｉｕｍ  Ａｃｃｅｓｓ  Ｃｏｎｔｒｏｌ）管理メッセージのいずれか１つの形式である、請求項１７に記載のマルチキャリアを用いたデータ送受信装置。
【請求項２１】
前記第２のキャリアのアクティブ化又は非アクティブ化は、データトラフィック状態、最大許容伝送レート（最大持続トラフィックレート（Ｍａｘｉｍｕｍ  Ｓｕｓｔａｉｎｅｄ  Ｔｒａｆｆｉｃ  ｒａｔｅ））、又は最大伝送バーストサイズ（最大トラフィックバーストサイズ（Ｍａｘｉｍｕｍ  Ｔｒａｆｆｉｃ  Ｂｕｒｓｔ  ｓｉｚｅ））に応じて決定される、請求項１７に記載のマルチキャリアを用いたデータ送受信装置。
【請求項２２】
前記制御部は、前記第２のキャリアのアクティブ化又は非アクティブ化を示す指示メッセージを受信し、前記第２のキャリアのアクティブ化又は非アクティブ化を行い、これに関する確認メッセージを前記第１のキャリアで前記基地局に送信する、請求項１７に記載のマルチキャリアを用いたデータ送受信装置。
【発明の詳細な説明】
【技術分野】
【０００１】
本発明は、マルチキャリア方式の通信システムにおける省電力のためのリソース活用方法及び装置に関し、特に、端末に割り当てられたマルチキャリアをデータトラフィック状態に応じてアクティブ化及び非アクティブ化することにより、リソースの浪費及び端末の不要な電力消費を防止する装置及び方法に関する。
【背景技術】
【０００２】
通信技術の発達により、移動通信システムが提供するサービスは、音声通信サービスだけでなく、大容量のデータを伝送するパケットデータ送受信サービス及びマルチメディアブロードキャストサービスなど、ますます多様に発展している。
【０００３】
現在サービス中のＷＣＤＭＡなどの第３世代通信サービスは、音声だけでなく、大容量の画像とデータを高い伝送レートで送受信することができ、さらに、今後データトラフィックが急速に増加することを考慮して、より広い帯域幅を有する進化したネットワークを作成するために、ＬＴＥ（Ｌｏｎｇ−Ｔｅｒｍ  Ｅｖｏｌｕｔｉｏｎ  Ｎｅｔｗｏｒｋ）及びＩＥＥＥ８０２．１６ｍなどの標準化作業が活発に行われている。
【０００４】
特に、標準化作業が活発に行われているＩＥＥＥ８０２．１６ｍは、従来の８０２．１６標準に準拠した端末及び基地局装置との相互互換性を維持するとともにＩＭＴ−Ａｄｖａｎｃｅｄシステムの要求事項を満たす標準規格の開発を目標としている。何よりも、ＩＭＴ−Ａｄｖａｎｃｅｄシステムでは、４０ＭＨｚ以上の広帯域通信サービスのサポートを求めており、ＩＥＥＥ８０２．１６ｍでもＩＭＴ−Ａｄｖａｎｃｅｄシステムの要求事項を満たすためには広帯域通信のサポートが必須であるが、全帯域幅に対する規格の定義は事実上難しいため、複数のキャリアを使用して広帯域をサポートする、マルチキャリアを用いる通信システムが議論されている。ＩＥＥＥ８０２．１６ｍで議論されているマルチキャリア方式のシステムにおいては、端末と基地局は少なくとも２つのＦＡ（Ｆｒｅｑｕｅｎｃｙ  Ａｓｓｉｇｎｍｅｎｔ）で同時接続してデータ送受信を行えるため、従来のシングルキャリア方式と比較して大容量データ送受信の高速化が可能であるという利点があり、端末（ＭＳ）にとっては、状況に応じてより広い帯域幅を使用して通信を行うことができ、基地局（ＢＳ）にとっては、より多くのユーザを受け入れることができるという特徴がある。
【０００５】
しかし、前記マルチキャリアシステムでは、基地局から端末に割り当てられた全てのキャリアに対してそれぞれＣＱＩチャネルを割り当てる場合、実際にデータトラフィックが発生しないチャネルに対してもＣＱＩチャネルが割り当てられるため、リソースの浪費が発生し、端末では、基地局から割り当てられた全てのキャリアに対して実際のデータトラフィックの発生有無に関係なく該当ＲＦ（Ｒａｄｉｏ  Ｆｒｅｑｕｅｎｃｙ）モジュールを全てターンオンするため、多大な電力消費が発生するという問題があった。
【発明の概要】
【課題を解決するための手段】
【０００６】
前述したように、従来のマルチキャリア方式の通信システムにおいては、端末に割り当てられた全てのキャリアに対して、実際にデータトラフィックが発生しないにもかかわらずＣＱＩチャネルが割り当てられたり、端末のＲＦが不要にターンオンされることにより、リソースの浪費及び端末の不要な電力消費が発生する問題を解決するためになされたものであり、端末に割り当てられたマルチキャリアを、データトラフィック状態、最大許容伝送レート（最大持続トラフィックレート（Ｍａｘｉｍｕｍ  Ｓｕｓｔａｉｎｅｄ  Ｔｒａｆｆｉｃ  ｒａｔｅ））、又は最大伝送バーストサイズ（最大トラフィックバーストサイズ（Ｍａｘｉｍｕｍ  Ｔｒａｆｆｉｃ  Ｂｕｒｓｔ  ｓｉｚｅ））などの能力に応じて、適切にアクティブ化及び非アクティブ化することにより、リソースの浪費及び端末の不要な電力消費を防止する装置及び方法を提供することを目的とする。
【０００７】
上記目的を達成するための本発明の一実施形態によるマルチキャリアを用いたデータ送受信方法は、
基地局と端末間の通信のためのＰＨＹ／ＭＡＣ制御情報とデータを送受信するための第１のキャリアを含むマルチキャリアを用いる通信システムで、前記基地局と前記端末が少なくとも１つのキャリアを使用してデータを送受信する方法において、
前記基地局と前記端末間のデータトラフィックを送受信するための第２のキャリアのアクティブ化を決定する段階と、前記第２のキャリアのアクティブ化を示す指示メッセージ（Ｉｎｄｉｃａｔｉｏｎ）を前記第１のキャリアで前記端末に送信する段階と、前記データトラフィックを前記アクティブ化された第２のキャリアで前記端末に送信する段階とを含む。
【０００８】
前記マルチキャリアを用いたデータ送受信方法は、前記第２のキャリアのアクティブ化指示メッセージを送信する段階で、前記第２のキャリアのアクティブ化指示メッセージを前記端末に送信した後、前記端末から前記第２のキャリアのアクティブ化確認メッセージを受信する段階をさらに含むことが好ましい。
【０００９】
前記第２のキャリアの非アクティブ化を示す指示メッセージを前記第１のキャリア又は前記第２のキャリアで前記端末に送信する段階と、前記端末から前記第２のキャリアの非アクティブ化確認メッセージを受信する段階とをさらに含むことが好ましい。
【００１０】
前記指示メッセージは、前記第２のキャリアのインデックスを示すキャリアインデックス（Ｉｎｄｅｘ）情報、及び前記キャリアインデックスが示す前記第２のキャリアのアクティブ動作又は非アクティブ動作を示す動作（Ｏｐｅｒａｔｉｏｎ）情報を含むことが好ましく、また、前記アクティブ動作又は非アクティブ動作を実行させる時点を示すオフセット（Ｏｆｆｓｅｔ）情報をさらに含むことが好ましい。
【００１１】
前記指示メッセージは、拡張されたサブヘッダ（Ｅｘｔｅｎｄｅｄ  ＳｕｂＨｅａｄｅｒ）、シグナリングヘッダ（Ｓｉｇｎａｌｉｎｇ  Ｈｅａｄｅｒ）、ピギーバック（Ｐｉｇｇｙ  ｂａｃｋ）メッセージ、マップ（ＭＡＰ）情報メッセージ、又はＭＡＣ（Ｍｅｄｉｕｍ  Ａｃｃｅｓｓ  Ｃｏｎｔｒｏｌ）管理メッセージのいずれか１つの形式であることが好ましい。
【００１２】
前記マルチキャリアを用いたデータ送受信方法は、前記第２のキャリアのアクティブ化を決定する段階で、前記第２のキャリアのアクティブ化が、前記端末と前記基地局間のデータトラフィック状態、最大許容伝送レート（最大持続トラフィックレート）、又は最大伝送バーストサイズ（最大トラフィックバーストサイズ）に応じて決定されることが好ましい。
【００１３】
上記目的を達成するための本発明の一実施形態によるマルチキャリアを用いたデータ送受信方法は、
マルチキャリアをサポートする端末において、基地局との通信のためのＰＨＹ／ＭＡＣ制御情報とデータを送受信するための第１のキャリア及び前記第１のキャリアとは異なるＲＦを使用する少なくとも１つの第２のキャリアを含むマルチキャリアを用いてデータを送受信する方法において、前記第２のキャリアのアクティブ化を示す指示メッセージを前記第１のキャリアで前記基地局から受信する段階と、前記第２のキャリアのＲＦをターンオンして前記第２のキャリアをアクティブ化する段階と、前記アクティブ化された第２のキャリアで前記基地局からデータを受信する段階とを含む。
【００１４】
本発明の一実施形態によるマルチキャリアを用いたデータ送受信方法は、前記第２のキャリアのアクティブ化確認メッセージを前記第１のキャリアで前記基地局に送信する段階をさらに含むことが好ましい。
【００１５】
本発明の一実施形態によるマルチキャリアを用いたデータ送受信方法は、前記第２のキャリアの非アクティブ化を示す指示メッセージを前記第１のキャリア又は前記第２のキャリアで前記基地局から受信する段階と、前記基地局から受信した指示メッセージに従って前記第２のキャリアのＲＦをターンオフして前記第２のキャリアを非アクティブ化する段階とをさらに含むことが好ましい。
【００１６】
本発明の一実施形態によるマルチキャリアを用いたデータ送受信方法は、前記第２のキャリアの非アクティブ化確認メッセージを前記第１のキャリアで前記基地局に送信する段階をさらに含むことが好ましい。
【００１７】
前記指示メッセージは、前記端末がアクティブ化する前記第２のキャリアのインデックスを示すキャリアインデックス情報、及び前記キャリアインデックスが示す前記第２のキャリアのアクティブ動作又は非アクティブ動作を示す動作情報を含むことが好ましい。
【００１８】
また、前記指示メッセージは、前記動作を実行させる時点を示すオフセット情報をさらに含むことが好ましい。
【００１９】
前記指示メッセージは、拡張されたサブヘッダ、シグナリングヘッダ、ピギーバックメッセージ、マップ情報メッセージ、又はＭＡＣ管理メッセージのいずれか１つの形式であることが好ましい。
【００２０】
本発明の一実施形態によるマルチキャリアを用いたデータ送受信方法は、前記第２のキャリアのアクティブ化が、データトラフィック状態、最大許容伝送レート（最大持続トラフィックレート）、又は最大伝送バーストサイズ（最大トラフィックバーストサイズ）に応じて決定されることが好ましい。
【００２１】
上記目的を達成するための本発明の一実施形態によるマルチキャリアを用いたデータ送受信装置は、
基地局と通信のための各種制御情報とデータを送受信するための第１のキャリア及び前記第１のキャリアとは異なるＲＦを使用する少なくとも１つの第２のキャリアを含むマルチキャリアを用いるデータ送受信装置において、前記第１のキャリアで前記基地局とデータを送受信する第１の受信端と、前記第２のキャリアで前記基地局からデータを受信する第２の受信端と、前記第１の受信端及び第２の受信端の電力を制御する制御部とを含み、前記制御部は、前記第２のキャリアのアクティブ化又は非アクティブ化を示す指示メッセージを前記第１の受信端を介して前記基地局から受信し、前記基地局から受信した指示メッセージに従って前記第２の受信端の電力を制御して、前記第２のキャリアのアクティブ化又は非アクティブ化を行うことを特徴とする。
【００２２】
前記マルチキャリアを用いたデータ送受信装置において、前記指示メッセージは、前記第２のキャリアのインデックスを示すキャリアインデックス情報、及び前記キャリアインデックスが示す前記第２のキャリアのアクティブ動作又は非アクティブ動作を示す動作情報を含むことが好ましい。
【００２３】
前記指示メッセージは、前記動作を実行させる時点を示すオフセット情報をさらに含むことが好ましい。
【００２４】
前記マルチキャリアを用いたデータ送受信装置において、前記指示メッセージは、拡張されたサブヘッダ、シグナリングヘッダ、ピギーバックメッセージ、マップ情報メッセージ、又はＭＡＣ管理メッセージのいずれか１つの形式であることが好ましい。
【００２５】
前記マルチキャリアを用いたデータ送受信装置において、前記第２のキャリアのアクティブ化又は非アクティブ化は、データトラフィック状態、最大許容伝送レート（最大持続トラフィックレート）、又は最大伝送バーストサイズ（最大トラフィックバーストサイズ）に応じて決定されることが好ましい。
【００２６】
前記マルチキャリアを用いたデータ送受信装置において、前記制御部は、前記第２のキャリアのアクティブ化又は非アクティブ化を示す指示メッセージを受信し、前記第２のキャリアのアクティブ化又は非アクティブ化を行い、これに関する確認メッセージを前記第１のキャリアで前記基地局に送信することが好ましい。
【図面の簡単な説明】
【００２７】
【図１】本発明の一実施形態によるマルチキャリアシステムを示す図である。
【図２】プライマリキャリアとセカンダリキャリアの作動状態に応じた、マルチキャリアをサポートする端末の運用モードを示す図である。
【図３】データトラフィックによる端末のモード変化を示す状態遷移図である。
【図４】本発明の一実施形態によるデータトラフィックに基づいたマルチキャリアのアクティブ化及び非アクティブ化過程を示すフローチャートである。
【図５】本発明の一実施形態によるセカンダリキャリアをアクティブ化することを示す図である。
【図６】本発明の一実施形態によるデータトラフィックが終了した場合に該当指示メッセージを受信することを示す図である。
【図７】本発明の一実施形態によるデータトラフィックのテーラー（ｔａｉｌｏｒ）情報を利用して指示メッセージを受信することを示す図である。
【図８】シグナリングヘッダに含まれるトラフィックインジケータの構造を示す図である。
【図９】本発明の一実施形態によるマルチキャリアをサポートする端末の構成を概略的に示す図である。
【発明を実施するための形態】
【００２８】
以下、添付図面を参照して本発明の好ましい実施形態を詳細に説明するが、図面の番号に関係なく同一又は類似の構成要素には同一の符号を付して重複する説明は省略する。また、本発明を説明するにあたって、関連する公知技術についての具体的な説明が本発明の要旨を不明にすると判断される場合は、その詳細な説明を省略する。なお、添付図面は本発明の思想を容易に理解できるようにするためのものにすぎず、添付図面により本発明の思想が制限されるように解釈されてはならないことに留意すべきである。
【００２９】
以下、端末という用語が用いられるが、端末は、ＳＳ（Ｓｕｂｓｃｒｉｂｅｒ  Ｓｔａｔｉｏｎ）、ＵＥ（Ｕｓｅｒ  Ｅｑｕｉｐｍｅｎｔ）、ＭＥ（Ｍｏｂｉｌｅ  Ｅｑｕｉｐｍｅｎｔ）、ＭＳ（Ｍｏｂｉｌｅ  Ｓｔａｔｉｏｎ）とも呼ばれる。また、端末は、携帯電話、ＰＤＡ、スマートフォン、ノートブックコンピュータなどのように通信機能を備えた携帯可能な機器でもよく、ＰＣ、車両搭載装置などのように携帯不可能な機器でもよい。
【００３０】
Ｉ．マルチキャリアの定義
図１は、本発明の一実施形態によるマルチキャリアシステムを概略的に示す図である。
【００３１】
図１に示すように、本発明によるマルチキャリアモードで基地局１０１が端末１０３、１０５に割り当ててデータ送受信などに用いることのできるキャリアは、少なくとも２つであり、以下では、説明の便宜上、４つのキャリアＲＦ１、ＲＦ２、ＲＦ３及びＲＦ４を使用する場合を一実施形態として説明する。基地局１０１は、マルチキャリアモードで使用するように端末１０３に複数のキャリアＲＦ１、ＲＦ２及びＲＦ３を割り当て、他の端末１０５にもキャリアＲＦ４を割り当てることができる。この場合、第１の端末１０３は１つ以上のキャリアを使用するのでマルチモードで動作し、第２の端末１０５は１つのキャリアのみを使用するのでシングルモードで動作する。
【００３２】
基地局１０１では、マルチキャリアのタイプをＦＣＣ（Ｆｕｌｌｙ  Ｃｏｎｆｉｇｕｒｅｄ  Ｃａｒｒｉｅｒ）とＰＣＣ（Ｐａｒｔｉａｌｌｙ  Ｃｏｎｆｉｇｕｒｅｄ  Ｃａｒｒｉｅｒ）の２つに区分することができる。ＦＣＣは、データのアップリンク／ダウンリンク及びＰＨＹ／ＭＡＣ制御情報を送受信することのできるキャリアと定義され、ＰＣＣは、端末にダウンリンクデータのみを送信することのできるキャリアと定義される。よって、ＰＣＣは、マルチキャストブロードキャストサービス（ＭＢＭＳ）などに主に使用されるキャリアとして用いることができる。図１を参照すると、第１の端末１０３に割り当てられたキャリアのうちＲＦ１及びＲＦ２は、アップリンク／ダウンリンクデータを送受信することができ、端末のＰＨＹ／ＭＡＣ制御情報を送受信することができるＦＣＣに該当する。第１の端末１０３に割り当てられたキャリアＲＦ３は、基地局が端末にダウンリンクデータのみを送信することができるＰＣＣに該当する。第２の端末１０５に割り当てられたキャリアＲＦ４は、アップリンク／ダウンリンクデータを送受信することができ、端末のＰＨＹ／ＭＡＣ制御情報を送受信することができるＦＣＣに該当し、第２の端末１０５のようなシングルモードタイプの場合は、１つのキャリアＲＦ４のみ割り当てられるため、割り当てられるキャリアＲＦ４はＦＣＣタイプであることが好ましい。
【００３３】
端末１０３、１０５にとっては、基地局から割り当てられたキャリアのタイプをプライマリキャリアとセカンダリキャリアの２つに区分することができる。端末には基地局から１つのプライマリキャリアと複数のセカンダリキャリアが割り当てられることが好ましい。本発明によれば、プライマリキャリアは、端末と基地局間でデータトラフィック及びＰＨＹ／ＭＡＣ制御情報などを送受信することができ、端末のネットワーク登録（ネットワークエントリ）などの端末の制御機能のために主に使用されるキャリアとして機能する。また、セカンダリキャリアは、基地局のリソース割り当て命令に従って端末に割り当てられ、主にデータトラフィックを送受信するためのキャリアとして使用される。一方、セカンダリキャリアは、マルチキャリア動作を行うために基地局と端末間で所定の制御情報が伝達されるチャネルとして用いることもできる。
【００３４】
図１を参照すると、第１の端末１０３に割り当てられたキャリアのうちＲＦ１又はＲＦ２はプライマリキャリアであり、ＲＦ３はセカンダリキャリアである。同様に、第２の端末１０５に割り当てられたキャリアＲＦ４はプライマリキャリアの役割を果たす。図１に示すように、マルチキャリアシステムでは、マルチキャリアをサポートする端末１０３とシングルキャリアのみをサポートする端末１０５を同時にサポートすることができ、マルチキャリアをサポートするマルチモードの端末１０３の場合も、データトラフィックによってはシングルキャリアのみを使用するシングルモードで運用することができる。ところが、マルチモード又はシングルモードで運用される場合、少なくとも１つのキャリアは割り当てられなければならず、ここで、１つのキャリアのみ割り当てられる場合、当該キャリアはプライマリキャリアとして機能する。
【００３５】
端末のプライマリキャリアは、基地局で定義されるＦＣＣタイプであり、初期ネットワーク登録（ネットワークエントリ）手順を行ったキャリアがプライマリキャリアとして決定される。セカンダリキャリアは、ＦＣＣタイプ又はＰＣＣタイプに設定することができ、端末又は基地局の要求又は指示に従って追加で割り当てることができる。端末は、プライマリキャリアでは全ての制御情報とセカンダリキャリアに関する情報を送受信し、セカンダリキャリアでは主にダウンリンクデータを受信することが好ましい。また、１つの端末に設定されたＦＣＣタイプのセカンダリキャリアは、他の端末のプライマリキャリアに設定することもできる。
【００３６】
ＩＩ．マルチキャリアの作動状態に応じた端末の状態遷移
図２は、プライマリキャリアとセカンダリキャリアの作動状態に応じた、マルチキャリアをサポートする端末の運用モードを示す図である。端末は、図２に示すように、プライマリキャリアとセカンダリキャリアの作動状態に応じて、運用モードタイプをアクティブ（マルチキャリア、シングルキャリア）モードと非アクティブモードに区分することができる。
【００３７】
端末がアクティブ状態のマルチキャリアモードで運用される場合、１つのプライマリキャリアと１つ又は複数のセカンダリキャリアがアクティブ化された状態であり、アクティブ状態のシングルキャリアモードで運用される場合、１つのプライマリキャリアのみが動作し、全てのセカンダリキャリアは非アクティブ化された状態である。端末が非アクティブ状態で運用される場合は、端末の全てのキャリアが非アクティブ化され、該当ＲＦはターンオフされる。
【００３８】
このように、マルチキャリアをサポートする端末は、２つ以上のキャリアがアクティブ化されたマルチキャリアモード、１つのキャリアのみがアクティブ化されたシングルキャリアモード、及び全てのキャリアが非アクティブ化された非アクティブモードの３つの状態をサポートすることができ、シングルキャリアのみをサポートする端末は、アクティブ状態のシングルキャリアとアイドルモードのみをサポートする。端末は基地局とデータを送受信する状態に応じてマルチキャリアモード又はシングルキャリアモードで動作し、このために、下記表１のようなマルチキャリアコマンドをサポートする。
【００３９】
【表１】
2011528212.tif 000003
端末が最初にネットワークに進入するとシングルキャリアモードで動作し、その後、追加のキャリアが必要であれば、表１に示すマルチキャリアコマンドの「アクティブキャリア」により追加のセカンダリキャリアを確保する。それに対して、特定のキャリアのデータ送受信が終了するか、又はネットワークとの接続が切断されると、「非アクティブキャリア」コマンドによりキャリアを非アクティブ化する。このようなデータトラフィックによる端末のモード変化における全般的な状態遷移は図３に示す通りである。
【００４０】
図３を参照すると、端末が現在アクティブ化されているキャリアを非アクティブ化すると、当該キャリアは非アクティブ状態となる。このようにして全てのセカンダリキャリアが非アクティブ化されると、端末は最後にプライマリキャリアのみで動作する。このようにプライマリキャリアのみでデータを送受信する場合、端末はシングルキャリアモード３０３で動作する。
【００４１】
以下、データトラフィックの発生による、端末に割り当てられたキャリアのアクティブ化及び非アクティブ化について、図１を参照して説明する。図１に示す第１の端末１０３の場合、基地局から割り当てられたキャリアＲＦ１、ＲＦ２及びＲＦ３のうち、実際にトラフィックが発生するアクティブ化されたキャリアは、１つのキャリアＲＦ１であることもあり、２つのキャリアＲＦ１及びＲＦ２であることもある。それに対して、キャリアＲＦ３は、基地局１０１から端末１０３に割り当てられたキャリアセットには含まれるが、実際に基地局からのダウンリンクデータトラフィックが存在しない場合もアクティブ化されたキャリアに分類されると、端末の該当ＲＦが継続してターンオンされて不要な電力消費が発生し得るため、トラフィックが発生しないキャリアに対しては非アクティブ化を行うことが好ましい。キャリアのアクティブ化及び非アクティブ化については、関連部分でより詳細に説明する。
【００４２】
キャリアをアクティブ化又は非アクティブ化する機能は、以上説明したように、データトラフィックに基づいて設定することもできるが、場合によっては、端末のＱｏＳ（Ｑｕａｌｉｔｙ  ｏｆ  Ｓｅｒｖｉｃｅ）要求事項に応じて設定してもよく、基地局の管理目的に応じて設定してもよい。端末のＱｏＳ要求事項としては、現在の端末における様々なサービスに関する能力、すなわち本発明の一実施形態によれば、最大許容伝送レート（最大持続トラフィックレート）又は最大伝送バーストサイズ（最大トラフィックバーストサイズ）などの能力がある。よって、基地局は、端末のサービス能力を確認し、それに応じた数のキャリアを割り当てる。端末のサービス能力に応じたキャリアのアクティブ化及び非アクティブ化方式は、前述したトラフィックに基づいたキャリアのアクティブ化及び非アクティブ化と同様であるので詳細な説明は省略する。
【００４３】
以下、データトラフィックに基づいたキャリアのアクティブ及び非アクティブ動作について、関連図面を参照してより具体的に説明する。
【００４４】
ＩＩＩ．マルチキャリアシステムでデータトラフィックの有無に応じたキャリアのアクティブ化及び非アクティブ化を示す方法
図４は、本発明の一実施形態によるデータトラフィックに基づいたマルチキャリアのアクティブ化及び非アクティブ化過程を示すフローチャートである。
【００４５】
端末は、最初にネットワーク登録（ネットワークエントリ）手順（Ｓ４０１）を行い、このときに使用されたキャリアをＦ１とする場合、前述したように、キャリアＦ１が端末のプライマリリキャリアとして使用される。図４に示すように、端末に使用可能なマルチキャリアとしてＦ１とＦ２が割り当てられたと仮定する場合、最初のネットワーク登録手順で使用されたキャリアＦ１はＦＣＣタイプのプライマリキャリアと定義することができ、Ｆ２はＦＣＣ又はＰＣＣタイプのセカンダリキャリアと定義することができる。基地局は、特定のセカンダリキャリアＦ２で送信するデータトラフィックが発生するか、又は送信しているデータトラフィックが終了した場合、当該キャリアをアクティブ化又は非アクティブ化することができ、このために、端末にキャリアのアクティブ化及び非アクティブ化に関する指示メッセージ（Ｔｒａｆｆｉｃ  ＩＮＤ）を送信する。
【００４６】
図４に示すように、現在端末のプライマリキャリアＦ１のみアクティブ化された状態で、セカンダリキャリアＦ２で送信するデータトラフィックが発生すると、基地局は、セカンダリキャリアＦ２のトラフィック発生に関する指示メッセージ（Ｔｒａｆｆｉｃ  ＩＮＤ）をプライマリキャリアＦ１で端末に送信する（Ｓ４１１）。前記トラフィック発生指示メッセージ（Ｔｒａｆｆｉｃ  ＩＮＤ）には、トラフィック発生時点に関する情報が含まれ、その他にも、アクティブ化対象キャリアのインデックス情報、対象キャリアのアクティブ動作又は非アクティブ動作に関するコマンド、及び当該動作を実行させる時点に関するオフセット情報などが含まれる。前記トラフィック発生指示メッセージ（Ｔｒａｆｆｉｃ  ＩＮＤ）は、拡張されたサブヘッダ、シグナリングヘッダ、テーラー、ピギーバック、マップ情報、又はＭＡＣ管理メッセージのいずれか１つの形式で送信される。前記トラフィック発生指示メッセージ（Ｔｒａｆｆｉｃ  ＩＮＤ）の詳細は後述することとし、以下、ＭＡＣ管理メッセージ形式を基準に全体動作を説明する。
【００４７】
端末は、現在アクティブ化されているプライマリキャリアＦ１でセカンダリキャリアＦ２のトラフィック発生指示メッセージ（Ｔｒａｆｆｉｃ  ＩＮＤ）を基地局から受信し、現在非アクティブ状態のセカンダリキャリアＦ２をアクティブ化するために該当ＲＦをターンオンする（Ｓ４１３）。このように、基地局と端末間で送受信されるデータトラフィックの開始を基地局が端末に通知すると、端末は、セカンダリキャリアでデータトラフィックを受信又は送信すべき時点に合わせて当該キャリアのＲＦを設定することができる。本発明の他の実施形態によれば、端末は、現在のＱｏＳサービス能力に応じたキャリアのＲＦを選択してアクティブ化することができ、これをプライマリキャリアで基地局に通知することもできる。
【００４８】
端末はトラフィック発生指示メッセージを受信したとしても該当ＲＦモジュールをターンオンするまでにプロセッシングに必要な遅延時間が発生することがあり、状況に応じては、端末が基地局から送信されたメッセージを正常に受信することができなかったり、受信したとしても該当キャリアが正常にターンオンされないこともある。このような状況を考慮して、端末のセカンダリキャリアＦ２の該当ＲＦモジュールが正常にターンオンされると、ターンオンに関する確認メッセージ（Ｃｏｎｆｉｒｍａｔｉｏｎ）を基地局に送信する（Ｓ４１５）ことが好ましい。セカンダリキャリアＦ２のターンオン確認メッセージは、端末のプライマリキャリアＦ１で送信することもできるが、本発明の他の実施形態によれば、アクティブ化されたセカンダリキャリアＦ２で基地局に直接送信することもできる。端末からセカンダリキャリアＦ２のアクティブ化確認メッセージを受信すると、基地局は、発生したデータトラフィックをセカンダリキャリアＦ２で端末に送信する（Ｓ４１７）。
【００４９】
セカンダリキャリアＦ２で端末と基地局間のデータ送受信が行われた後、発生したデータトラフィックがなくなった場合は、不要な電力消費を防止するために、基地局は、端末にデータトラフィック終了を示すトラフィック終了指示メッセージ（Ｔｒａｆｆｉｃ  Ｉｎｄｉｃａｔｏｒ）を送信する（Ｓ４１９）。
【００５０】
端末は、基地局からトラフィック終了指示メッセージ（Ｔｒａｆｆｉｃ  Ｉｎｄｉｃａｔｏｒ）を受信すると、該当キャリアのＲＦをターンオフし（Ｓ４２１）、これに関する確認メッセージを基地局に送信する（Ｓ４２３）。
【００５１】
図５は、プライマリキャリアで受信したトラフィック指示メッセージ（Ｔｒａｆｆｉｃ  Ｉｎｄｉｃａｔｏｒ）に従ってセカンダリキャリアをアクティブ化することを示す図である。
【００５２】
端末がプライマリキャリアでセカンダリキャリアのアクティブ化情報（Ｃａｒｒｉｅｒ  ｃｏｎｆｉｇｕｒａｔｉｏｎ  ｉｎｄｉｃａｔｏｒ）を受信し、現在非アクティブ化されているセカンダリキャリアの予想されるデータトラフィック発生時点に合わせて該当ＲＦをターンオンし、セカンダリキャリアをアクティブ化する。アクティブ化されたセカンダリキャリアがＦＣＣタイプである場合、アクティブ化された後に発生する持続的なトラフィックに対するリソースの割り当ては、ＤＬ／ＵＬマップ（ＭＡＰ）情報などを利用してセカンダリキャリアに直接割り当てるか、又はプライマリキャリアに割り当てることができる。当該キャリアのアクティブ化が正常に行われた場合、基地局にＡＣＫメッセージを送信するので確認することができ、もし、ＡＣＫが正常に送信されていない場合、セカンダリキャリアを再びアクティブ化するための設定を繰り返すことができる。プライマリキャリアのダウンリンクスケジューリングチャネル（ＤＬ  Ｓｃｈｅｄｕｌｉｎｇ  Ｃｈａｎｎｅｌ）のＭＡＰを利用してトラフィックを通知する場合は、次のフレームのトラフィックスケジューリングを通知する。セカンダリキャリアのアクティブ化指示情報（Ｃａｒｒｉｅｒ  ｃｏｎｆｉｇｕｒａｔｉｏｎ  ｉｎｄｉｃａｔｏｒ）には相対的オフセット（ｒｅｌａｔｉｖｅ  ｏｆｆｓｅｔ）情報が含まれ、これにより当該キャリアをアクティブ化するより正確な時点を確認することができる。ここで、オフセット値は、固定された値又は事前に設定された値であり、その場の状況に応じて適応的に設定することが好ましい。相対的オフセット値は、サブフレーム又はフレーム単位で設定してもよい。
【００５３】
図６は、データトラフィックが終了した場合に該当キャリアを非アクティブ化する時点を示す指示メッセージ（Ｃａｒｒｉｅｒ  ｃｏｎｆｉｇｕｒａｔｉｏｎ  ｉｎｄｉｃａｔｏｒ）をプライマリキャリア又はセカンダリキャリアで受信することを示す図である。基地局からセカンダリキャリアの非アクティブ化に関する指示メッセージ（Ｃａｒｒｉｅｒ  ｃｏｎｆｉｇｕｒａｔｉｏｎ  ｉｎｄｉｃａｔｏｒ）をプライマリキャリア又はセカンダリキャリアで受信すると、現在のトラフィックが終了した後、端末は、セカンダリキャリアを非アクティブ化し、ＲＦをターンオフする。セカンダリキャリアの非アクティブ化を正常に行った場合、端末は、セカンダリキャリア又はプライマリキャリアでこれを基地局に確認するＡＣＫを送信し、その後、当該セカンダリキャリアを再びアクティブ化する命令があるまではオフにするため、不要な電力消費を防止することができる。
【００５４】
図７は、データトラフィックのテーラー情報を利用してセカンダリキャリアの非アクティブ化に関する指示メッセージ（Ｃａｒｒｉｅｒ  ｃｏｎｆｉｇｕｒａｔｉｏｎ  ｉｎｄｉｃａｔｏｒ）を受信する実施形態を示す図である。
【００５５】
図６においては、ＭＡＣメッセージを利用してセカンダリキャリアの非アクティブ化に関する指示メッセージ（Ｃａｒｒｉｅｒ  ｃｏｎｆｉｇｕｒａｔｉｏｎ  ｉｎｄｉｃａｔｏｒ）を受信しているが、図７においては、セカンダリキャリアで受信するデータの終端にヘッダと類似したテーラー情報を付加することにより、現在のキャリアの非アクティブ化時点を示す。従って、端末は別途のインジケータメッセージを受信することなく比較的正確な時点でキャリアの非アクティブ化を行い、該当ＲＦをターンオフすることができるという利点がある。セカンダリキャリアが正常に非アクティブ化された場合、その確認はプライマリキャリアで行う。
【００５６】
以下、トラフィック指示メッセージ（Ｔｒａｆｆｉｃ  ＩＮＤ）について詳細に説明する。
【００５７】
ＩＶ．トラフィックインジケータの実施形態
マルチキャリアのアクティブ化及び非アクティブ化を示す指示メッセージは、拡張されたサブヘッダ（Ｅｘｔｅｎｄｅｄ  ＳｕｂＨｅａｄｅｒ）、シグナリングヘッダ（Ｓｉｇｎａｌｉｎｇ  Ｈｅａｄｅｒ）、テーラートラフィックインジケータ（Ｔａｉｌｏｒｅｄ  ｔｒａｆｆｉｃ  Ｉｎｄｉｃａｔｏｒ）、ピギーバックトラフィックインジケータ（Ｐｉｇｇｙ  ｂａｃｋ  ｔｒａｆｆｉｃ  Ｉｎｄｉｃａｔｏｒ）、マップ（ＭＡＰ）情報メッセージ、又はＭＡＣ管理メッセージのいずれか１つの形式で構成される。以下、各指示メッセージについて詳細に説明する。
【００５８】
（１）マルチキャリア拡張サブヘッダ形式のトラフィックインジケータ（Ｍｕｌｔｉ  Ｃａｒｒｉｅｒ  Ｅｘｔｅｎｄｅｄ  Ｓｕｂｈｅａｄｅｒ  Ｔｒａｆｆｉｃ  Ｉｎｄｉｃａｔｏｒ）
表２は、本発明の一実施形態による拡張されたサブヘッダ形式のトラフィック指示メッセージを示す。
【００５９】
【表２】
2011528212.tif 000004
本実施形態によれば、マルチキャリアをサポートする端末が基地局とのネゴシエーションを終えた後にマルチキャリア又はシングルキャリアで作動しているときは、セカンダリキャリアの追加割り当てを必要としたり、現在アクティブ化されているセカンダリキャリアを非アクティブ化しようとするなどの追加機能の実行を、マルチキャリア制御拡張サブヘッダ（Ｍｕｌｔｉ−Ｃａｒｒｉｅｒ  ｃｏｎｔｒｏｌ  Ｅｘｔｅｎｄｅｄ  Ｓｕｂｈｅａｄｅｒ）により設定する。マルチキャリア制御拡張サブヘッダメッセージは、インジケータメッセージの役割を果たし、該当キャリアのインデックスを示すキャリアインデックス（Ｃａｒｒｉｅｒ  Ｉｎｄｅｘ）情報、前記キャリアインデックスに対応するキャリアをアクティブ化するか非アクティブ化するかに関する情報を示す動作（Ｏｐｅｒａｔｉｏｎ）情報、及び前記動作を実行させる時点を示す相対的オフセット（Ｒｅｌａｔｉｖｅ  Ｏｆｆｓｅｔ）情報などを含む。
【００６０】
現在定義されている拡張されたサブヘッダ（Ｅｘｔｅｎｄｅｄ  ＳｕｂＨｅａｄｅｒ）の種類としては、フラグメンテーション及びパッキング拡張ヘッダ（Ｆｒａｇｍｅｎｔａｔｉｏｎ  ａｎｄ  ｐａｃｋｉｎｇ  ｅｘｔｅｎｄｅｄ  ｈｅａｄｅｒ）、フラグメンテーション拡張ヘッダ（Ｆｒａｇｍｅｎｔａｔｉｏｎ  ｅｘｔｅｎｄｅｄ  ｈｅａｄｅｒ）、マルチプレキシング拡張ヘッダ（Ｍｕｌｔｉｐｌｅｘｉｎｇ  ｅｘｔｅｎｄｅｄ  ｈｅａｄｅｒ）がある。マルチキャリア動作のための拡張されたサブヘッダ（Ｅｘｔｅｎｄｅｄ  ＳｕｂＨｅａｄｅｒ）であるＭＣＥＨ（Ｍｕｌｔｉ−ｃａｒｒｉｅｒ  Ｅｘｔｅｎｄｅｄ  Ｈｅａｄｅｒ）の形式は表３に示す通りである。
【００６１】
【表３】
2011528212.tif 000005
（２）シグナリングヘッダ形式のトラフィックインジケータ
本発明の他の実施形態によれば、トラフィックインジケータは、シグナリングヘッダに含まれ、シグナリングヘッダ形式で送信される。表４は本発明の一実施形態によるシグナリングヘッダ形式を示す。
【００６２】
【表４】
2011528212.tif 000006
表４に示すシグナリングヘッダタイプのうち、「１１０」フィールド（Ａｃｔｉｖａｔｉｏｎ／ｄｅａｃｔｉｖａｔｉｏｎ  ｉｎｄｉｃａｔｏｒ  ｆｏｒ  Ｍｕｌｔｉ−ｃａｒｒｉｅｒ  ｓｕｐｐｏｒｔ）は、マルチキャリアのアクティブ化及び非アクティブ化に関するものであり、対象キャリアのインデックスを示す「キャリアインデックス（Ｃａｒｒｉｅｒ  Ｉｎｄｅｘ）」情報、インデックスに対応するキャリアをアクティブ化するか非アクティブ化するかに関する情報を示す「動作（Ｏｐｅｒａｔｉｏｎ）」情報、及び前記動作を実行させる時点に関する情報を示す「相対的オフセット（Ｒｅｌａｔｉｖｅ  Ｏｆｆｓｅｔ）（開始時点（Ｓｔａｒｔ  ｔｉｍｅ））」情報などを含む。
【００６３】
図８は、シグナリングヘッダに含まれるトラフィックインジケータの構造を示す図である。図８において、キャリアインデックス８０１は、アクティブ化又は非アクティブ化するキャリアのインデックスを示し、８ビットで構成される。アクション８０３は、該当キャリアをアクティブ化するか非アクティブ化するかに関するビット情報であり、１ビットで構成される。例えば、アクションビット値が「０」であれば該当キャリアを非アクティブ化することを意味し、アクションビット値が「１」であれば該当キャリアをアクティブ化することを意味する。トラフィックインジケータ相対的オフセット（Ｔｒａｆｆｉｃ  Ｉｎｄｉｃａｔｏｒ  ｒｅｌａｔｉｖｅ  ｏｆｆｓｅｔ）８０５は、アクション８０３を実行させる時点に関する情報を示し、４ビットで構成される。
【００６４】
（３）データのテーラー形式のトラフィックインジケータ
これは、図７を参照して前述したように、サブヘッダと同じ形式であって、パケットデータの終端にテーラーヘッダ（Ｔａｉｌｏｒ  Ｈｅａｄｅｒ）を付加することで現在のパケットのトラフィックの終了を示す。本実施形態の場合は、別途のインジケータがなくてもトラフィックの終了時点が分かるので、データ送信時のリソース活用の面でも効率を向上させることができる。テーラートラフィックインジケータメッセージには、アクティブ化及び非アクティブ化対象キャリアのインデックスを示す「キャリアインデックス（Ｃａｒｒｉｅｒ  Ｉｎｄｅｘ）」情報、インデックスに対応するキャリアをアクティブ化するか非アクティブ化するかに関する情報を示す「動作（Ｏｐｅｒａｔｉｏｎ）」情報、及び前記動作を実行させる時点に関する情報を示す「相対的オフセット（Ｒｅｌａｔｉｖｅ  Ｏｆｆｓｅｔ）（開始時点（Ｓｔａｒｔ  ｔｉｍｅ））」情報などを含む。
【００６５】
（４）ピギーバック形式のトラフィックインジケータ
本発明のさらに他の実施形態によれば、追加の指示メッセージなく、ピギーバックフィールドでトラフィックの有無とキャリアの状態遷移に関する情報を示す。ピギーバックトラフィックインジケータには、アクティブ化及び非アクティブ化対象キャリアのインデックスを示す「キャリアインデックス（Ｃａｒｒｉｅｒ  Ｉｎｄｅｘ）」情報、インデックスに対応するキャリアをアクティブ化するか非アクティブ化するかに関する情報を示す「動作（Ｏｐｅｒａｔｉｏｎ）」情報、及び前記動作を実行させる時点に関する情報を示す「相対的オフセット（Ｒｅｌａｔｉｖｅ  Ｏｆｆｓｅｔ）（開始時点（Ｓｔａｒｔ  ｔｉｍｅ））」情報などを含む。
【００６６】
（５）マップ情報を利用するトラフィックインジケータ
本発明のさらに他の実施形態によれば、トラフィックインジケータの情報をマップ（ＭＡＰ）を利用して示す。ＭＡＰにインジケータのためのリソースを割り当て、端末はＭＡＰのインジケータ情報の位置を参照してトラフィックの指示を認知する。トラフィックインジケータＭＡＰには、アクティブ化及び非アクティブ化対象キャリアのインデックスを示す「キャリアインデックス（Ｃａｒｒｉｅｒ  Ｉｎｄｅｘ）」情報、インデックスに対応するキャリアをアクティブ化するか非アクティブ化するかに関する情報を示す「動作（Ｏｐｅｒａｔｉｏｎ）」情報、及び前記動作を実行させる時点に関する情報を示す「相対的オフセット（Ｒｅｌａｔｉｖｅ  Ｏｆｆｓｅｔ）（開始時点（Ｓｔａｒｔ  ｔｉｍｅ））」情報などを含む。
【００６７】
（６）ＭＡＣ管理メッセージを利用するトラフィックインジケータ
本発明のさらに他の実施形態によれば、ＩＥＥＥ８０２．１６ｅで定義しているＭＡＣ管理メッセージ（ＭＡＣ  ｍａｎａｇｅｍｅｎｔ  ｍｅｓｓａｇｅ）を利用してトラフィックインジケータを送信する。基地局は、マルチキャリア要求ＭＡＣ管理メッセージ（ｍｕｌｔｉ−ｃａｒｒｉｅｒ  ｒｅｑｕｅｓｔ  ＭＡＣ  ｍａｎａｇｅｍｅｎｔ  ｍｅｓｓａｇｅ）を利用してトラフィックの開始及びトラフィックの終了時点を端末に通知する。前記ＭＡＣ管理メッセージには、アクティブ化及び非アクティブ化対象キャリアのインデックスを示す「キャリアインデックス（Ｃａｒｒｉｅｒ  Ｉｎｄｅｘ）」情報、インデックスに対応するキャリアをアクティブ化するか非アクティブ化するかに関する情報を示す「動作（Ｏｐｅｒａｔｉｏｎ）」情報、及び前記動作を実行させる時点に関する情報を示す「相対的オフセット（Ｒｅｌａｔｉｖｅ  Ｏｆｆｓｅｔ）（開始時点（Ｓｔａｒｔ  ｔｉｍｅ））」情報などを含む。表５はマルチキャリアＭＡＣ管理メッセージの一実施形態を示す。
【００６８】
【表５】
2011528212.tif 000007
表５を参照すると、キャリア運用タイプが「０ｂ００」値である場合、セカンダリキャリア管理動作を示し、詳細は前述した通りである。
【００６９】
Ｖ．マルチキャリアをサポートする端末の構造及び機能
図９は、本発明の一実施形態によるマルチキャリアをサポートする端末の構成を概略的に示す図である。本発明によるマルチキャリアをサポートする端末は、制御部９０１、少なくとも１つのＲＦ受信部９０３、９０５、９０９、及びアンテナ９１１を含む。以下、通常の端末の構成についての説明は省略し、本発明によるマルチキャリアを用いたデータ送受信に関する構成と機能のみを説明する。図９に示すマルチキャリアをサポートする端末においては、サポート可能なマルチキャリアの数に応じたＲＦ受信部９０３、９０５、９０９がそれぞれ独立して構成されており、各ＲＦ受信部は該当キャリアで基地局とデータを送受信する。図９を参照すると、ＲＦ受信部は、第１のキャリアで基地局とデータを送受信する第１のＲＦ受信端９０３と、第２のキャリアで基地局からデータを受信する第２のＲＦ受信端９０５と、第Ｎのキャリアで基地局からデータを受信する第ＮのＲＦ受信端９０９とから構成され、制御部９０１は、各受信端のデータトラフィックの発生有無に応じて第１のＲＦ受信端９０３、第２のＲＦ受信端９０５、及び第ＮのＲＦ受信端９０９の電力を制御して、不要な電力消費が発生することを防止する。制御部９０１は、第２のＲＦ受信端９０５で受信するデータトラフィックの発生及び終了を示す指示メッセージ（Ｔｒａｆｆｉｃ  Ｉｎｄｉｃａｔｉｏｎ）を第１のＲＦ受信端９０３を介して基地局から受信し、基地局から受信した前記指示メッセージに従って第２のＲＦ受信端９０５の電力を制御して、第２のキャリアのアクティブ及び非アクティブ動作を行うことが好ましい。
【００７０】
前述したように、前記第１のキャリアは端末のプライマリキャリアの役割を果たし、前記第２のキャリアは端末のセカンダリキャリアの役割を果たす。
【００７１】
前記指示メッセージは、アクティブ化及び非アクティブ化対象キャリアのインデックスを示すキャリアインデックス（Ｃａｒｒｉｅｒ  Ｉｎｄｅｘ）情報、前記キャリアインデックスに対応するキャリアをアクティブ化するか非アクティブ化するかに関する情報を示す動作（Ｏｐｅｒａｔｉｏｎ）情報、及び前記動作を実行させる時点を示す相対的オフセット（Ｒｅｌａｔｉｖｅ  Ｏｆｆｓｅｔ）情報などを含む。
【００７２】
また、マルチキャリアのアクティブ化及び非アクティブ化を示す指示メッセージは、拡張されたサブヘッダ（Ｅｘｔｅｎｄｅｄ  ＳｕｂＨｅａｄｅｒ）、シグナリングヘッダ（Ｓｉｇｎａｌｉｎｇ  Ｈｅａｄｅｒ）、テーラートラフィックインジケータ（Ｔａｉｌｏｒｅｄ  ｔｒａｆｆｉｃ  Ｉｎｄｉｃａｔｏｒ）、ピギーバックトラフィックインジケータ（Ｐｉｇｇｙ  ｂａｃｋ  ｔｒａｆｆｉｃ  Ｉｎｄｉｃａｔｏｒ）、マップ（ＭＡＰ）情報、又はＭＡＣ管理メッセージなどから構成される。
【００７３】
また、第２のキャリアのアクティブ化又は非アクティブ化は、データトラフィック状態、最大許容伝送レート（最大持続トラフィックレート）、又は最大伝送バーストサイズ（最大トラフィックバーストサイズ）などの端末のＱｏＳ要求事項に応じて決定してもよく、キャリアの負荷状態又は他の要素に応じて決定してもよい。
【００７４】
本発明の他の実施形態によれば、制御部９０１は、第２のキャリアのアクティブ化又は非アクティブ化を示す指示メッセージを基地局から受信し、第２のＲＦ受信端９０５の電力を制御することにより、第２のキャリアのアクティブ化又は非アクティブ化を行い、これに関する確認メッセージ（ｃｏｎｆｉｒｍａｔｉｏｎ）を第１のキャリアで前記基地局に送信する。
【００７５】
以上説明した本発明による方法は、ソフトウェア、ハードウェア又はそれらの組み合わせとして実現されてもよい。例えば、本発明による方法は、記憶媒体（例えば、端末の内部メモリ、フラッシュメモリ、ハードディスクなど）に保存することができ、プロセッサ（例えば、端末の内部マイクロプロセッサ）により実行されるソフトウェアプログラム内にコード又はコマンドで実現することができる。
【００７６】
以上、本発明の好ましい実施形態を例に説明したが、本発明の範囲はこれらの特定の実施形態に限定されるものではないので、本発明は本発明の思想及び特許請求の範囲に記載されたカテゴリ内で様々な形態に修正、変更又は改善することができる。
【図１】
2011528212.tif 000008
【図２】
2011528212.tif 000009
【図３】
2011528212.tif 000010
【図４】
2011528212.tif 000011
【図５】
2011528212.tif 000012
【図６】
2011528212.tif 000013
【図７】
2011528212.tif 000014
【図８】
2011528212.tif 000015
【図９】
2011528212.tif 000016
【手続補正書】
【提出日】平成23年1月13日(2011.1.13)
【手続補正１】
【補正対象書類名】明細書
【補正対象項目名】００２６
【補正方法】変更
【補正の内容】
【００２６】
前記マルチキャリアを用いたデータ送受信装置において、前記制御部は、前記第２のキャリアのアクティブ化又は非アクティブ化を示す指示メッセージを受信し、前記第２のキャリアのアクティブ化又は非アクティブ化を行い、これに関する確認メッセージを前記第１のキャリアで前記基地局に送信することが好ましい。
（項目１）
基地局と端末間の通信のためのＰＨＹ／ＭＡＣ制御情報とデータを送受信するための第１のキャリアを含むマルチキャリアを用いる通信システムで、前記基地局と前記端末が少なくとも１つのキャリアを使用してデータを送受信する方法において、
前記基地局と前記端末間のデータトラフィックを送受信するための第２のキャリアのアクティブ化を決定する段階と、
前記第２のキャリアのアクティブ化を示す指示メッセージ（Ｉｎｄｉｃａｔｉｏｎ）を前記第１のキャリアで前記端末に送信する段階と、
前記データトラフィックを前記アクティブ化された第２のキャリアで前記端末に送信する段階と
を含む、マルチキャリアを用いたデータ送受信方法。
（項目２）
前記第２のキャリアのアクティブ化指示メッセージを送信する段階は、
前記第２のキャリアのアクティブ化指示メッセージを前記端末に送信した後、前記端末から前記第２のキャリアのアクティブ化確認メッセージを受信する段階をさらに含む、項目１に記載のマルチキャリアを用いたデータ送受信方法。
（項目３）
前記第２のキャリアの非アクティブ化を示す指示メッセージを前記第１のキャリア又は前記第２のキャリアで前記端末に送信する段階をさらに含む、項目１に記載のマルチキャリアを用いたデータ送受信方法。
（項目４）
前記端末から前記第２のキャリアの非アクティブ化確認メッセージを受信する段階をさらに含む、項目３に記載のマルチキャリアを用いたデータ送受信方法。
（項目５）
前記指示メッセージは、前記第２のキャリアのインデックスを示すキャリアインデックス（Ｉｎｄｅｘ）情報、及び前記キャリアインデックスが示す前記第２のキャリアのアクティブ動作又は非アクティブ動作を示す動作（Ｏｐｅｒａｔｉｏｎ）情報を含む、項目１又は３に記載のマルチキャリアを用いたデータ送受信方法。
（項目６）
前記指示メッセージは、前記アクティブ動作又は非アクティブ動作を実行させる時点を示すオフセット（Ｏｆｆｓｅｔ）情報をさらに含む、項目５に記載のマルチキャリアを用いたデータ送受信方法。
（項目７）
前記指示メッセージは、拡張されたサブヘッダ（Ｅｘｔｅｎｄｅｄ  ＳｕｂＨｅａｄｅｒ）、シグナリングヘッダ（Ｓｉｇｎａｌｉｎｇ  Ｈｅａｄｅｒ）、ピギーバック（Ｐｉｇｇｙ  ｂａｃｋ）メッセージ、マップ（ＭＡＰ）情報メッセージ、又はＭＡＣ（Ｍｅｄｉｕｍ  Ａｃｃｅｓｓ  Ｃｏｎｔｒｏｌ）管理メッセージのいずれか１つの形式である、項目１又は３に記載のマルチキャリアを用いたデータ送受信方法。
（項目８）
前記第２のキャリアのアクティブ化を決定する段階で、前記第２のキャリアのアクティブ化が、前記端末と前記基地局間のデータトラフィック状態、最大許容伝送レート（最大持続トラフィックレート（Ｍａｘｉｍｕｍ  Ｓｕｓｔａｉｎｅｄ  Ｔｒａｆｆｉｃ  ｒａｔｅ））、又は最大伝送バーストサイズ（最大トラフィックバーストサイズ（Ｍａｘｉｍｕｍ  Ｔｒａｆｆｉｃ  Ｂｕｒｓｔ  ｓｉｚｅ））に応じて決定される、項目１に記載のマルチキャリアを用いたデータ送受信方法。
（項目９）
マルチキャリアをサポートする端末において、基地局との通信のためのＰＨＹ／ＭＡＣ制御情報とデータを送受信するための第１のキャリア及び前記第１のキャリアとは異なるＲＦ（Ｒａｄｉｏ  Ｆｒｅｑｕｅｎｃｙ）を使用する少なくとも１つの第２のキャリアを含むマルチキャリアを用いてデータを送受信する方法において、
前記第２のキャリアのアクティブ化を示す指示メッセージ（Ｉｎｄｉｃａｔｉｏｎ）を前記第１のキャリアで前記基地局から受信する段階と、
前記第２のキャリアのＲＦをターンオンして前記第２のキャリアをアクティブ化する段階と、
前記アクティブ化された第２のキャリアで前記基地局からデータを受信する段階と
を含む、マルチキャリアを用いたデータ送受信方法。
（項目１０）
前記第２のキャリアのアクティブ化確認メッセージを前記第１のキャリアで前記基地局に送信する段階をさらに含む、項目９に記載のマルチキャリアを用いたデータ送受信方法。
（項目１１）
前記第２のキャリアの非アクティブ化を示す指示メッセージを前記第１のキャリア又は前記第２のキャリアで前記基地局から受信する段階と、
前記基地局から受信した指示メッセージに従って前記第２のキャリアのＲＦをターンオフして前記第２のキャリアを非アクティブ化する段階と
をさらに含む、項目９に記載のマルチキャリアを用いたデータ送受信方法。
（項目１２）
前記第２のキャリアの非アクティブ化確認メッセージを前記第１のキャリアで前記基地局に送信する段階をさらに含む、項目９に記載のマルチキャリアを用いたデータ送受信方法。
（項目１３）
前記指示メッセージは、前記端末がアクティブ化する前記第２のキャリアのインデックスを示すキャリアインデックス（Ｉｎｄｅｘ）情報、及び前記キャリアインデックスが示す前記第２のキャリアのアクティブ動作又は非アクティブ動作を示す動作（Ｏｐｅｒａｔｉｏｎ）情報を含む、項目９又は１１に記載のマルチキャリアを用いたデータ送受信方法。
（項目１４）
前記指示メッセージは、前記動作を実行させる時点を示すオフセット（Ｏｆｆｓｅｔ）情報をさらに含む、項目１３に記載のマルチキャリアを用いたデータ送受信方法。
（項目１５）
前記指示メッセージは、拡張されたサブヘッダ（Ｅｘｔｅｎｄｅｄ  ＳｕｂＨｅａｄｅｒ）、シグナリングヘッダ（Ｓｉｇｎａｌｉｎｇ  Ｈｅａｄｅｒ）、ピギーバック（Ｐｉｇｇｙ  ｂａｃｋ）メッセージ、マップ（ＭＡＰ）情報メッセージ、又はＭＡＣ（Ｍｅｄｉｕｍ  Ａｃｃｅｓｓ  Ｃｏｎｔｒｏｌ）管理メッセージのいずれか１つの形式である、項目９又は１１に記載のマルチキャリアを用いたデータ送受信方法。
（項目１６）
前記第２のキャリアのアクティブ化は、データトラフィック状態、最大許容伝送レート（最大持続トラフィックレート（Ｍａｘｉｍｕｍ  Ｓｕｓｔａｉｎｅｄ  Ｔｒａｆｆｉｃ  ｒａｔｅ））、又は最大伝送バーストサイズ（最大トラフィックバーストサイズ（Ｍａｘｉｍｕｍ  Ｔｒａｆｆｉｃ  Ｂｕｒｓｔ  ｓｉｚｅ））に応じて決定される、項目９に記載のマルチキャリアを用いたデータ送受信方法。
（項目１７）
基地局と通信のための各種制御情報とデータを送受信するための第１のキャリア及び前記第１のキャリアとは異なるＲＦ（Ｒａｄｉｏ  Ｆｒｅｑｕｅｎｃｙ）を使用する少なくとも１つの第２のキャリアを含むマルチキャリアを用いるデータ送受信装置において、
前記第１のキャリアで前記基地局とデータを送受信する第１の受信端と、
前記第２のキャリアで前記基地局からデータを受信する第２の受信端と、
前記第１の受信端及び第２の受信端の電力を制御する制御部とを含み、
前記制御部は、前記第２のキャリアのアクティブ化又は非アクティブ化を示す指示メッセージ（Ｉｎｄｉｃａｔｉｏｎ）を前記第１の受信端を介して前記基地局から受信し、前記基地局から受信した指示メッセージに従って前記第２の受信端の電力を制御して、前記第２のキャリアのアクティブ化又は非アクティブ化を行う、マルチキャリアを用いたデータ送受信装置。
（項目１８）
前記指示メッセージは、前記第２のキャリアのインデックスを示すキャリアインデックス（Ｉｎｄｅｘ）情報、及び前記キャリアインデックスが示す前記第２のキャリアのアクティブ動作又は非アクティブ動作を示す動作（Ｏｐｅｒａｔｉｏｎ）情報を含む、項目１７に記載のマルチキャリアを用いたデータ送受信装置。
（項目１９）
前記指示メッセージは、前記動作を実行させる時点を示すオフセット（Ｏｆｆｓｅｔ）情報をさらに含む、項目１８に記載のマルチキャリアを用いたデータ送受信装置。
（項目２０）
前記指示メッセージは、拡張されたサブヘッダ（Ｅｘｔｅｎｄｅｄ  ＳｕｂＨｅａｄｅｒ）、シグナリングヘッダ（Ｓｉｇｎａｌｉｎｇ  Ｈｅａｄｅｒ）、ピギーバック（Ｐｉｇｇｙ  ｂａｃｋ）メッセージ、マップ（ＭＡＰ）情報メッセージ、又はＭＡＣ（Ｍｅｄｉｕｍ  Ａｃｃｅｓｓ  Ｃｏｎｔｒｏｌ）管理メッセージのいずれか１つの形式である、項目１７に記載のマルチキャリアを用いたデータ送受信装置。
（項目２１）
前記第２のキャリアのアクティブ化又は非アクティブ化は、データトラフィック状態、最大許容伝送レート（最大持続トラフィックレート（Ｍａｘｉｍｕｍ  Ｓｕｓｔａｉｎｅｄ  Ｔｒａｆｆｉｃ  ｒａｔｅ））、又は最大伝送バーストサイズ（最大トラフィックバーストサイズ（Ｍａｘｉｍｕｍ  Ｔｒａｆｆｉｃ  Ｂｕｒｓｔ  ｓｉｚｅ））に応じて決定される、項目１７に記載のマルチキャリアを用いたデータ送受信装置。
（項目２２）
前記制御部は、前記第２のキャリアのアクティブ化又は非アクティブ化を示す指示メッセージを受信し、前記第２のキャリアのアクティブ化又は非アクティブ化を行い、これに関する確認メッセージを前記第１のキャリアで前記基地局に送信する、項目１７に記載のマルチキャリアを用いたデータ送受信装置。
【手続補正２】
【補正対象書類名】特許請求の範囲
【補正対象項目名】全文
【補正方法】変更
【補正の内容】
【特許請求の範囲】
【請求項１】
マルチキャリアシステムにおける少なくとも１つのキャリアを用いてデータを送受信するための基地局の動作方法において、
前記基地局と端末間のデータトラフィックを送受信するための少なくとも１つの第２のキャリアのアクティブ化又は非アクティブ化を決定する段階と、
前記第２のキャリアのアクティブ化及び非アクティブ化の少なくとも一方を示すキャリア運用命令（ｃａｒｒｉｅｒ  ｍａｎａｇｅｍｅｎｔ  ｃｏｍｍａｎｄ）メッセージを第１のキャリアで前記端末に送信する段階と
を含むことを特徴とするマルチキャリアを用いたデータ送受信方法。
【請求項２】
前記キャリア運用命令メッセージに含まれる前記第２のキャリアのアクティブ化及び非アクティブ化の少なくとも一方が正常に行われたことを示す指示（ｉｎｄｉｃａｔｉｏｎ）メッセージを前記第１のキャリアで前記端末から受信する段階をさらに含むことを特徴とする請求項１に記載のマルチキャリアを用いたデータ送受信方法。
【請求項３】
前記データトラフィックをアクティブ化された前記第２のキャリアで前記端末に送信する段階をさらに含むことを特徴とする請求項１に記載のマルチキャリアを用いたデータ送受信方法。
【請求項４】
前記キャリア運用命令メッセージは、前記第２のキャリアのインデックスを示すキャリアインデックス（Ｉｎｄｅｘ）情報、前記キャリアインデックスが示す前記第２のキャリアのアクティブ動作又は非アクティブ動作を示す動作（Ｏｐｅｒａｔｉｏｎ）情報、及び前記第２のキャリアのアクティブ化又は非アクティブ化された数を示すキャリア数情報の少なくとも１つを含むことを特徴とする請求項１に記載のマルチキャリアを用いたデータ送受信方法。
【請求項５】
前記キャリア運用命令メッセージは、前記アクティブ動作又は非アクティブ動作を実行させる時点を示すオフセット（Ｏｆｆｓｅｔ）情報をさらに含むことを特徴とする請求項４に記載のマルチキャリアを用いたデータ送受信方法。
【請求項６】
前記キャリア運用命令メッセージは、拡張されたサブヘッダ（Ｅｘｔｅｎｄｅｄ  ＳｕｂＨｅａｄｅｒ）、シグナリングヘッダ（Ｓｉｇｎａｌｉｎｇ  Ｈｅａｄｅｒ）、ピギーバック（Ｐｉｇｇｙ  ｂａｃｋ）メッセージ、マップ（ＭＡＰ）情報メッセージ、又はＭＡＣ（Ｍｅｄｉｕｍ  Ａｃｃｅｓｓ  Ｃｏｎｔｒｏｌ）管理メッセージのいずれか１つの形式であることを特徴とする請求項１に記載のマルチキャリアを用いたデータ送受信方法。
【請求項７】
前記キャリア運用命令メッセージの受信に対する応答を前記端末から受信する段階をさらに含むことを特徴とする請求項１に記載のマルチキャリアを用いたデータ送受信方法。
【請求項８】
前記第２のキャリアのアクティブ化又は非アクティブ化を決定する段階で、前記第２のキャリアのアクティブ化又は非アクティブ化が、前記端末と前記基地局間のデータトラフィック状態、最大許容伝送レート（最大持続トラフィックレート（Ｍａｘｉｍｕｍ  Ｓｕｓｔａｉｎｅｄ  Ｔｒａｆｆｉｃ  ｒａｔｅ））、又は最大伝送バーストサイズ（最大トラフィックバーストサイズ（Ｍａｘｉｍｕｍ  Ｔｒａｆｆｉｃ  Ｂｕｒｓｔ  ｓｉｚｅ））に応じて決定されることを特徴とする請求項１に記載のマルチキャリアを用いたデータ送受信方法。
【請求項９】
マルチキャリアシステムにおける少なくとも１つのキャリアを用いてデータを送受信するための端末の動作方法において、
第２のキャリアのアクティブ化を示すキャリア運用命令（ｃａｒｒｉｅｒ  ｍａｎａｇｅｍｅｎｔ  ｃｏｍｍａｎｄ）メッセージを第１のキャリアで基地局から受信する段階と、
前記第２のキャリアをアクティブ化する段階と、
前記アクティブ化された第２のキャリアで前記基地局からデータを受信する段階と
を含むことを特徴とするマルチキャリアを用いたデータ送受信方法。
【請求項１０】
前記第２のキャリアのアクティブ化を示す指示（ｉｎｄｉｃａｔｉｏｎ）メッセージを前記第１のキャリアで前記基地局に送信する段階をさらに含むことを特徴とする請求項９に記載のマルチキャリアを用いたデータ送受信方法。
【請求項１１】
前記第２のキャリアの非アクティブ化を示すキャリア運用命令メッセージを前記第１のキャリア又は前記第２のキャリアで前記基地局から受信する段階と、
前記基地局から受信したキャリア運用命令メッセージに従って前記第２のキャリアを非アクティブ化する段階と
をさらに含むことを特徴とする請求項９に記載のマルチキャリアを用いたデータ送受信方法。
【請求項１２】
前記第２のキャリアの非アクティブ化を示す指示（ｉｎｄｉｃａｔｉｏｎ）メッセージを前記第１のキャリアで前記基地局に送信する段階をさらに含むことを特徴とする請求項９に記載のマルチキャリアを用いたデータ送受信方法。
【請求項１３】
前記キャリア運用命令メッセージは、前記端末がアクティブ化する前記第２のキャリアのインデックスを示すキャリアインデックス（Ｉｎｄｅｘ）情報、前記キャリアインデックスが示す前記第２のキャリアのアクティブ動作又は非アクティブ動作を示す動作（Ｏｐｅｒａｔｉｏｎ）情報、及び前記第２のキャリアのアクティブ化又は非アクティブ化された数を示すキャリア数情報の少なくとも１つを含むことを特徴とする請求項９又は１１に記載のマルチキャリアを用いたデータ送受信方法。
【請求項１４】
前記キャリア運用命令メッセージは、前記動作を実行させる時点を示すオフセット（Ｏｆｆｓｅｔ）情報をさらに含むことを特徴とする請求項１３に記載のマルチキャリアを用いたデータ送受信方法。
【請求項１５】
前記キャリア運用命令メッセージの受信に対する応答を前記基地局に送信する段階をさらに含むことを特徴とする請求項９又は１１に記載のマルチキャリアを用いたデータ送受信方法。
【請求項１６】
前記キャリア運用命令メッセージは、拡張されたサブヘッダ（Ｅｘｔｅｎｄｅｄ  ＳｕｂＨｅａｄｅｒ）、シグナリングヘッダ（Ｓｉｇｎａｌｉｎｇ  Ｈｅａｄｅｒ）、ピギーバック（Ｐｉｇｇｙ  ｂａｃｋ）メッセージ、マップ（ＭＡＰ）情報メッセージ、又はＭＡＣ（Ｍｅｄｉｕｍ  Ａｃｃｅｓｓ  Ｃｏｎｔｒｏｌ）管理メッセージのいずれか１つの形式であることを特徴とする請求項９又は１１に記載のマルチキャリアを用いたデータ送受信方法。
【請求項１７】
前記第２のキャリアのアクティブ化又は非アクティブ化は、データトラフィック状態、最大許容伝送レート（最大持続トラフィックレート（Ｍａｘｉｍｕｍ  Ｓｕｓｔａｉｎｅｄ  Ｔｒａｆｆｉｃ  ｒａｔｅ））、又は最大伝送バーストサイズ（最大トラフィックバーストサイズ（Ｍａｘｉｍｕｍ  Ｔｒａｆｆｉｃ  Ｂｕｒｓｔ  ｓｉｚｅ））に応じて決定されることを特徴とする請求項９に記載のマルチキャリアを用いたデータ送受信方法。
【請求項１８】
マルチキャリアシステムにおける少なくとも１つのキャリアを用いてデータを送受信するための端末において、
第１のキャリア及び少なくとも１つの第２のキャリアで基地局とデータを送受信するための無線通信部と、
前記無線通信部の電力を制御する制御部とを含み、
前記制御部は、前記無線通信部により前記第２のキャリアのアクティブ化及び非アクティブ化の少なくとも一方を示すキャリア運用命令（ｃａｒｒｉｅｒ  ｍａｎａｇｅｍｅｎｔ  ｃｏｍｍａｎｄ）メッセージを前記基地局から受信し、前記基地局から受信したキャリア運用命令メッセージに従って前記無線通信部の電力を制御して前記第２のキャリアのアクティブ化又は非アクティブ化を行うことを特徴とする端末。
【請求項１９】
前記キャリア運用命令メッセージは、前記第２のキャリアのインデックスを示すキャリアインデックス（Ｉｎｄｅｘ）情報、前記キャリアインデックスが示す前記第２のキャリアのアクティブ動作又は非アクティブ動作を示す動作（Ｏｐｅｒａｔｉｏｎ）情報、及び前記第２のキャリアのアクティブ化又は非アクティブ化された数を示すキャリア数情報の少なくとも１つを含むことを特徴とする請求項１８に記載の端末。
【請求項２０】
前記キャリア運用命令メッセージは、前記動作を実行させる時点を示すオフセット（Ｏｆｆｓｅｔ）情報をさらに含むことを特徴とする請求項１９に記載の端末。
【請求項２１】
前記キャリア運用命令メッセージは、拡張されたサブヘッダ（Ｅｘｔｅｎｄｅｄ  ＳｕｂＨｅａｄｅｒ）、シグナリングヘッダ（Ｓｉｇｎａｌｉｎｇ  Ｈｅａｄｅｒ）、ピギーバック（Ｐｉｇｇｙ  ｂａｃｋ）メッセージ、マップ（ＭＡＰ）情報メッセージ、又はＭＡＣ（Ｍｅｄｉｕｍ  Ａｃｃｅｓｓ  Ｃｏｎｔｒｏｌ）管理メッセージのいずれか１つの形式であることを特徴とする請求項１８に記載の端末。
【請求項２２】
前記第２のキャリアのアクティブ化又は非アクティブ化は、データトラフィック状態、最大許容伝送レート（最大持続トラフィックレート（Ｍａｘｉｍｕｍ  Ｓｕｓｔａｉｎｅｄ  Ｔｒａｆｆｉｃ  ｒａｔｅ））、又は最大伝送バーストサイズ（最大トラフィックバーストサイズ（Ｍａｘｉｍｕｍ  Ｔｒａｆｆｉｃ  Ｂｕｒｓｔ  ｓｉｚｅ））に応じて決定されることを特徴とする請求項１８に記載の端末。
【請求項２３】
前記制御部は、前記第２のキャリアのアクティブ化又は非アクティブ化を示すキャリア運用命令メッセージを受信し、前記第２のキャリアのアクティブ化又は非アクティブ化を行い、その確認を示す指示（ｉｎｄｉｃａｔｉｏｎ）メッセージを前記第１のキャリアで前記基地局に送信することを特徴とする請求項１８に記載の端末。
【請求項２４】
前記制御部は、前記キャリア運用命令メッセージを正常に受信したかに対する応答を前記基地局に送信するように制御することを特徴とする請求項１８に記載の端末。
【国際調査報告】
2011528212.tif 000017
2011528212.tif 000018
2011528212.tif 000019
2011528212.tif 000020